(57)【特許請求の範囲】
【請求項１】
排紙ローラと加圧ローラとの間に搬送通路を介して搬送されてきた用紙を両ローラの接線方向に排出する排紙装置において、両ローラの接線方向に排出された用紙が接触する位置に、用紙の排出方向に対して直交する用紙の幅方向に用紙を湾曲させる湾曲付与手段を設け、湾曲付与手段を、両ローラの接線方向に排出された用紙が接触する位置から垂下する複数の、用紙の前記排出方向に沿って延設された規制片で構成し、前記搬送通路は湾曲反転する通路であって、前記排紙ローラ及び加圧ローラの回転に伴って用紙が斜め上方に向けて排出され、用紙の、前記幅方向の両端部における上方への移動を前記規制片で規制することを特徴とする排紙装置。
【請求項２】
請求項１に記載の排紙装置において、前記複数の、用紙の前記排出方向に沿って延設された規制片は、一対の規制片と、該一対の規制片の間に形成されて前記一対の規制片よりも垂下量の少ない規制片とから構成されている排紙装置。
【請求項３】
請求項２に記載の排紙装置において、両ローラの接線方向に排出された用紙が排出方向の上流側から下流側に向かう程、その用紙の幅方向が小さな曲率半径で湾曲されるように前記一対の規制片を設けた排紙装置。
【発明の詳細な説明】
【０００１】
【発明の属する技術分野】
本発明は、複写機能付きファクシミリ装置（以下、複合機という）に代表される排紙装置に関し、より詳しくは、読み取り後の原稿又は記録済みの記録紙等の用紙を排出する排紙装置に関するものである。
【０００２】
【従来の技術】
近年、複合機においては、電子写真方式を用いて画像を記録紙に記録する方式が多用されている。この電子写真方式を用いた複合機は、一般的には感光体の表面を一様に帯電させる帯電器、感光体の表面に光を照射して静電潜像を形成する露光器、その静電潜像にトナーケースから供給されるトナーを付着させてトナー画像を形成する現像器、そのトナー画像を記録紙に転写させる転写器、及び転写されたトナー画像を記録紙に定着させる定着器を備えている。そして、感光体への帯電、露光、現像、及び記録紙への転写、定着という一連のプロセスが、電子写真方式における一単位の記録プロセスである。このような記録プロセスを経た記録済みの記録紙は、排紙装置を構成する排紙ローラと加圧ローラとの間を、両ローラの接線方向に通過した後、排出口から排紙トレイ上に排出される。
【０００３】
【発明が解決しようとする課題】
ところで、トナー画像を記録紙に定着させる定着器は、トナー画像が形成された記録紙を記録側から加熱する加熱ローラと、その加熱ローラと対向し、記録紙の反記録側を加圧する加圧ローラとから構成されている。即ち、定着時には、記録紙の記録側のみが加熱ローラで加熱されるため、加熱ローラにより加熱される記録紙の記録側と、加熱されずに加圧ローラで加圧される記録紙の反記録側との間には大きな温度差が生じる。従って、記録紙に含まれる水分の蒸発量が記録側と反記録側とでは異なる。具体的には、加熱ローラで加熱される記録側の方が反記録側よりも水分の蒸発量が多い。また、記録紙とトナーとでは熱収縮率が異なり、具体的にはトナーの方が記録紙よりも熱収縮率が大きい。そのため、トナー画像が形成された記録側の方が、トナー画像が形成されない反記録側よりも熱収縮率が大きくなる。その結果、定着後の記録紙、つまり記録済みの記録紙が記録側を内側にしてカールする。
【０００４】
特に、卓上型の小型複合機では、記録紙カセットから排紙トレイに至る記録紙の搬送通路が、記録紙の搬送方向に沿って小さな曲率半径で湾曲反転するように形成されている。そのため、記録紙が搬送通路を通過することに伴って、記録紙が搬送方向に湾曲される。従って、定着を経た記録紙が搬送通路の湾曲反転された箇所を通過する構成の場合には、定着によってカールされた記録紙が、搬送通路の湾曲反転された箇所を通過することに伴ってさらにカールされ、かかる場合には、記録紙のカールが助長される。また、記録紙が搬送通路の湾曲反転された箇所を通過した後、その記録紙にトナー画像を定着させる構成の場合には、搬送通路の湾曲反転された箇所を通過することに伴ってカールされた記録紙が、定着によってさらにカールされ、かかる場合にも、記録紙のカールが助長される。
【０００５】
その結果、記録紙が搬送方向にカールしたままの状態で排出口付近の排紙トレイ上に排出される。そして、このようにカールされた記録紙が次々に排出されてカールしたままの状態で排出口付近に堆積すると、先に排出された記録紙が、後から排出されてくる記録紙によって押し出されて排紙トレイから落下する可能性がある。
【０００６】
そこで、排紙ローラと加圧ローラとの接線方向が斜め上方を向くように両ローラの位置を設定して、記録紙を排出口からできるだけ離間した位置の排紙トレイ上に堆積させる構成が考えられる。しかし、記録紙を読取部と記録部との間の空間に排出する構成の小型複合機の場合には、排出口から斜め上方に向かって排出された記録紙が幅方向の全体に亘って読取部の下面に接触する。そのため、記録紙が接触する部分の面積が広く、記録紙と読取部の下面との間に作用する摩擦力が大きくなってカールが助長される。その結果、排紙トレイ上における記録紙の堆積状態が悪化して、排紙トレイ上に多くの記録紙を堆積できなくなる。特に、排紙トレイ上に堆積可能な記録紙の枚数が元々少ない小型複合機にあっては、カールした記録紙の堆積に伴って、堆積可能な記録紙の枚数がさらに少なくなる。また、後から排出されてくるカールしたままの記録紙が、先に排紙トレイ上に堆積されたカールしたままの記録紙に衝突すると、前記先に排出された記録紙が排紙トレイから落下する可能性がある。
【０００７】
一方、記録紙がカールした場合であっても多くの記録紙を堆積可能とするために、排紙トレイ上の空間、つまり読取部と記録部との間の空間を広くとる構成は、複合機の大型化を招くため好ましくない。また、一度カールした記録紙のカールを除去して記録紙を排出口から排紙トレイ上に排出するために、記録紙の搬送通路を上記とは反対側にも湾曲反転させる構成が考えられる。しかし、このように記録紙の搬送通路を反対側にも湾曲反転させる構成は、記録紙の搬送通路が長くなって複合機の大型化を招くとともに、記録紙の搬送通路が長くなった分だけ搬送通路の途中で記録紙のジャムが発生する可能性が高くなるため好ましくない。
【０００８】
また、原稿の画像を読み取った後、その読み取り後の原稿を排出する複合機の読取系においては、原稿に光を照射して画像を読み取る方式が多用されている。そのため、光の照射による原稿のカールの程度は、上記のように記録紙を加熱ローラで直接加熱する定着による記録紙のカールよりも小さい。しかし、原稿の搬送通路は、記録紙の搬送通路よりも小さな曲率半径で湾曲反転するように形成されている。そのため、原稿が搬送通路を通過することによるカールの程度は、記録紙が搬送通路を通過することによるカールよりも大きい。その結果、複合機の読取系においても、上記のような複合機の記録系と同様に、原稿の搬送方向にカールが起こり得る。
【０００９】
本発明は、このような問題点に着目してなされたものであって、その目的は、簡単な構成で用紙のカールを矯正することが可能な排紙装置を提供することにある。
【００１０】
【課題を解決するための手段】
上記の目的を達成するために、請求項１に記載の発明では、排紙ローラと加圧ローラとの間に搬送通路を介して搬送されてきた用紙を両ローラの接線方向に排出する排紙装置において、両ローラの接線方向に排出された用紙が接触する位置に、用紙の排出方向に対して直交する用紙の幅方向に用紙を湾曲させる湾曲付与手段を設け、湾曲付与手段を、両ローラの接線方向に排出された用紙が接触する位置から垂下する複数の、用紙の前記排出方向に沿って延設された規制片で構成し、前記搬送通路は湾曲反転する通路であって、前記排紙ローラ及び加圧ローラの回転に伴って用紙が斜め上方に向けて排出され、用紙の、前記幅方向の両端部における上方への移動を前記規制片で規制することを特徴とする。
【００１１】
従って、請求項１に記載の発明によれば、排紙ローラと加圧ローラとの間に搬送されてきた用紙が両ローラの接線方向に排出されると、その用紙は、湾曲付与手段で排出方向に対して直交する幅方向に湾曲される。その結果、用紙が排紙ローラと加圧ローラとの間に達する前に、用紙の搬送方向（排出方向）にカールしている場合であっても、用紙が幅方向に湾曲されることに伴って、用紙の搬送方向のカールが矯正される。また、両ローラの接線方向に排出された用紙は、上方への移動が一対の規制片で規制されて幅方向に湾曲される。つまり、用紙の幅方向において、規制片で規制される部分と規制されない部分とで上下位置が異なり、その結果、用紙は幅方向に湾曲される。また、上記のように用紙の搬送方向のカールを矯正することによって、用紙が搬送方向にカールしたままの状態で排紙トレイ上に堆積することがない。即ち、定着及び搬送通路の通過に伴って搬送方向にカールされた用紙の幅方向の両端部における上方への移動を各規制片で規制することによって、いわば強制的に用紙を排出方向に対して直交する幅方向にカールさせることにより、用紙の搬送方向のカールを除去している。そのため、用紙をフラットな状態で排紙トレイ上に堆積させることができる。
【００１２】
請求項２に記載の発明では、請求項１に記載の排紙装置において、前記複数の、用紙の前記排出方向に沿って延設された規制片は、一対の規制片と、該一対の規制片の間に形成されて前記一対の規制片よりも垂下量の少ない規制片とから構成されている。
【００１３】
従って、請求項２に記載の発明によれば、両ローラの接線方向に排出された用紙の排出の勢いに関係なく、用紙は各規制片に接触することとなる。したがって、用紙を用紙の幅方向に湾曲させつつ、用紙と湾曲付与手段との間に作用する摩擦力を極力小さくすることができる。
【００１４】
請求項３に記載の発明では、請求項２に記載の排紙装置において、両ローラの接線方向に排出された用紙が排出方向の上流側から下流側に向かう程、その用紙の幅方向が小さな曲率半径で湾曲されるように前記一対の規制片を設けた。
【００１５】
従って、請求項３に記載の発明によれば、両ローラの接線方向に排出された用紙は、排出方向の上流側から下流側に向かう程、幅方向が小さな曲率半径で湾曲される。その結果、用紙の搬送方向のカールが確実に矯正される。
【００１６】
【発明の実施の形態】
以下に、本発明に係る排紙装置を複合機に具体化した一実施形態を図面を用いて説明する。
【００１７】
図１（ａ），（ｂ）に示すように、複合機１には、原稿給送部１０、読取部２０、記録紙供給部３０、記録部４０及び記録紙排出部５０が装設されている。また、読取部２０手前のパネルＰには、操作部６０及び表示部７０が配設されている。
【００１８】
図２に示すように、原稿給送部１０は、原稿Ｇを載置する原稿台１１と、原稿台１１上の原稿Ｇを最上から１枚ずつ分離して読取部２０に供給する分離ローラ１２と、分離された原稿Ｇを給送する複数の給送ローラ１３とを備えている。また、原稿給送部１０は、モータ等の駆動源によって回転駆動される排紙ローラ１４と、その排紙ローラ１４と対向し、読み取り後の原稿Ｇを加圧する加圧ローラ１５と、排紙ローラ１４と加圧ローラ１５との接線方向に排出された原稿Ｇを堆積させる原稿排出台１６とを備えている。さらに、原稿給送部１０は、原稿給送部１０の下方に配設された読取部２０に対して開閉回動可能なカバー１７を備えている。このカバー１７の上部は、原稿排出台１６として機能する。
【００１９】
読取部２０は、静止した状態の原稿Ｇを読み取るためにカバー１７を開けた後で原稿Ｇを載置する透明な原稿載置板２１と、原稿台１１上に載置された原稿Ｇを給送しながら読み取るために原稿Ｇが上面を通過する透光板２２とを備えている。尚、読取部２０は、原稿Ｇに光を照射する光源、原稿Ｇからの反射光の光路を変更するミラー、光源及びミラーを移動させるための移動機構、ミラーからの光を収束させる集光レンズ、集光レンズを通して入射した光に基づき原稿Ｇの画像を読み取る撮像素子（ＣＣＤ）等を備えている（いずれも図示略）。
【００２０】
図３に示すように、記録紙供給部３０は、所定サイズ、例えば最も使用頻度の多いＡ４縦サイズ（幅２１０ｍｍ×長さ２９７ｍｍ）の記録紙Ｋを積層状態で収容する記録紙カセット３１を備えている。また、記録紙供給部３０は、使用者の所望に応じたサイズの記録紙Ｋを載置する手差しトレイ３２を備えている。さらに、記録紙供給部３０は、記録紙カセット３１内の記録紙Ｋ又は手差しトレイ３２上に載置された記録紙Ｋを最上から１枚ずつ分離して記録部４０に供給する給紙ローラ３３を備えている。
【００２１】
記録部４０は、外周面に光導電膜を有する感光体ドラム４１と、その感光体ドラム４１の光導電膜を所定電位に一様帯電させる帯電器４２と、感光体ドラム４１上に静電潜像を形成する露光器４３と、感光体ドラム４１上の静電潜像にトナーを供給して、その静電潜像を現像する現像器４４とを備えている。また、記録部４０は、トナー画像を感光体ドラム４１上から記録紙Ｋ上に転写させる転写器４５と、記録紙Ｋ上のトナー画像を加熱定着させる定着器４６とを備えている。そして、この定着器４６は、トナー画像が形成された記録紙Ｋを記録側から加熱する加熱ローラ４６ａと、その加熱ローラ４６ａと対向し、記録紙Ｋの反記録側を加圧する加圧ローラ４６ｂとから構成されている。
【００２２】
記録紙排出部５０は、モータ等の駆動源によって回転駆動される排紙ローラ５１と、その排紙ローラ５１と対向し、定着後の記録紙Ｋ、つまり記録済みの記録紙Ｋを加圧する加圧ローラ５２とを備えている。具体的には、図４（ａ），（ｂ）に示すように、排紙ローラ５１は、記録紙Ｋの搬送方向に対して直交する記録紙Ｋの幅方向に沿って同一軸線上に４個設けられている。また、加圧ローラ５２は、排紙ローラ５１の直上よりも記録紙Ｋの搬送方向の上流側に同一軸線上に４個設けられている。
【００２３】
そして、モータによって反時計回りに回転される排紙ローラ５１と、その排紙ローラ５１の回転に伴って従動されて時計回りに回転される加圧ローラ５２との接線方向に記録紙Ｋが排出される。この記録紙Ｋが排出される方向は、排紙ローラ５１及び加圧ローラ５２の回転に伴って記録紙Ｋが排出される接線方向、つまり記録紙Ｋの搬送方向の上流側から下流側に向かう斜め上方向である。ここで、排紙ローラ５１と加圧ローラ５２との間に搬送されてきた記録紙Ｋは、幅方向のセンター基準で排出される。そのため、Ａ４縦サイズ（幅２１０ｍｍ×長さ２９７ｍｍ）の記録紙Ｋが主に使用される複合機１の場合には、記録紙Ｋの幅方向に沿って隣り合う２つの排紙ローラ５１（加圧ローラ５２）の間隔Ｓ１〜Ｓ３を約７０ｍｍにする構成が好ましい。
【００２４】
また、図３に示すように、記録紙排出部５０は、排紙ローラ５１と加圧ローラ５２との接線方向に排出された記録紙Ｋを幅方向に湾曲させる湾曲付与板５３と、排出された記録紙Ｋを堆積させる排紙トレイ５４とを備えている。具体的には、図５に示すように、湾曲付与板５３は、読取部２０の下面に着脱可能に取り付けられた取付部５３ａと、その取付部５３ａから垂下された一対の規制片５３ｂとから構成されている。各規制片５３ｂは、記録紙Ｋの排出方向に沿って延設され、互いに平行である。このように構成された湾曲付与板５３に対して、排紙ローラ５１と加圧ローラ５２との間から斜め上方に向かって記録紙Ｋが排出されると、記録紙Ｋは、幅方向の両端部における上方への移動が各規制片５３ｂで規制される。よって、Ａ４縦サイズの記録紙Ｋが主に使用される複合機１の場合には、両規制片５３ｂの間隔Ｓ４を約１４０ｍｍにする構成が好ましい。
【００２５】
次に、複合機１において、記録紙カセット３１内の記録紙Ｋ又は手差しトレイ３２上に載置された記録紙Ｋに画データを記録して、その記録紙Ｋを排紙トレイ５４に排出するときの作用について、図６（ａ），（ｂ）を参照しながら図２及び図３を用いて説明する。
【００２６】
さて、原稿台１１又は原稿載置板２１上に載置された原稿Ｇを読取部２０で読み取って、その読み取った原稿Ｇの画データを記録紙Ｋにコピーする場合、又は受信画データを記録紙Ｋに記録する場合には、記録紙Ｋが給紙ローラ３３で１枚ずつ分離される。そして、その分離された記録紙Ｋが感光体ドラム４１と転写器４５との間に達すると、記録紙Ｋにトナー画像が転写される。その後、記録紙Ｋが加熱ローラ４６ａと加圧ローラ４６ｂとの間に達すると、記録紙Ｋにトナー画像が定着される。このとき、記録紙Ｋは、記録側のみが加熱される。そのため、記録紙Ｋに含まれる水分の蒸発量が記録側と反記録側とで異なるとともに、記録紙Ｋとトナーとで熱収縮率が異なるため、定着後の記録紙Ｋ、つまり記録済みの記録紙Ｋは、記録側を内側にしてカールする。そして、このようにカールされた記録紙Ｋは、湾曲反転された搬送通路を通過することに伴って、トナー画像が定着された記録側を内側にして搬送方向に沿ったカールが助長される（図６（ａ）参照）。
【００２７】
やがて、このように搬送方向にカールされた記録紙Ｋが排紙ローラ５１と加圧ローラ５２との間に達すると、記録紙Ｋは、排紙ローラ５１と加圧ローラ５２との間から斜め上方に排出される。そして、湾曲付与板５３に達した記録紙Ｋは、幅方向の両端部における上方への移動が各規制片５３ｂで規制される。その結果、記録紙Ｋは、幅方向の中央部が幅方向の両端部よりも上方位置となった上に凸の形状で幅方向に湾曲される（図６（ｂ）参照）。やがて、記録紙Ｋの終端が排紙ローラ５１と加圧ローラ５２との間から排出されると、記録紙Ｋは、上記のように幅方向に湾曲されることに伴って、搬送方向のカールが矯正された良好な状態で排紙トレイ５４上に堆積される。
【００２８】
以上、詳述したように本実施形態によれば、次のような作用、効果を得ることができる。
（１）排紙ローラ５１と加圧ローラ５２との接線方向に排出された記録紙Ｋが接触する位置、具体的には読取部２０の下面に湾曲付与板５３を設けている。そのため、排紙ローラ５１と加圧ローラ５２との間に搬送されてきた記録紙Ｋが両ローラ５１，５２の接線方向、つまり斜め上方向に排出されると、その記録紙Ｋは、幅方向の両端部における上方への移動が一対の規制片５３ｂで規制される。つまり、記録紙Ｋは、幅方向の中央部が幅方向の両端部よりも上方位置となった上に凸の形状で幅方向に湾曲される。従って、記録紙Ｋが排紙ローラ５１と加圧ローラ５２との間に達する前に、記録紙Ｋの搬送方向にカールしている場合であっても、記録紙Ｋが幅方向に湾曲されることに伴って、記録紙Ｋの搬送方向のカールを矯正することができる。
【００２９】
（２）上記（１）のように記録紙Ｋの搬送方向のカールを矯正することによって、記録紙Ｋが搬送方向（排出方向）にカールしたままの状態で排紙トレイ５４上に堆積することがない。即ち、定着及び搬送通路の通過に伴って搬送方向にカールされた記録紙Ｋの幅方向の両端部における上方への移動を各規制片５３ｂで規制することによって、いわば強制的に記録紙Ｋを排出方向に対して直交する幅方向にカールさせることにより、記録紙Ｋの搬送方向のカールを除去している。そのため、記録紙Ｋをフラットな状態で排紙トレイ５４上に堆積させることができる。従って、先に排出された記録紙Ｋが、後から排出されてくる記録紙Ｋによって押し出されることはなく、前記先に排出された記録紙Ｋが排紙トレイ５４から落下する可能性はない。また、後から排出されてくる記録紙Ｋが、先に排紙トレイ５４上に堆積された記録紙Ｋに衝突しても、単に積層されるだけであり、前記先に排出された記録紙Ｋが排紙トレイ５４から落下する可能性はない。その結果、排紙トレイ５４上における記録紙Ｋの堆積状態が良好なものとなり、排紙トレイ５４上に多くの記録紙Ｋを堆積させることができる。
【００３０】
（３）一対の規制片５３ｂを含む湾曲付与板５３を設けるのみで記録紙Ｋの搬送方向のカールを矯正する構成である。そのため、記録紙Ｋが搬送方向にカールした場合であっても多くの記録紙Ｋを堆積可能とするために、排紙トレイ５４上の空間、つまり読取部２０と記録紙供給部３０との間の空間を広くとる構成にする必要がない。また、一度カールした記録紙Ｋのカールを除去して記録紙Ｋを排紙ローラ５１と加圧ローラ５２との間から排紙トレイ５４上に排出するために、記録紙Ｋの搬送通路を反対側にも湾曲反転させる構成にする必要もない。従って、これら複合機１の大型化を招く構成と比較して、簡単な構成で記録紙Ｋの搬送方向のカールを矯正することができることは言うまでもない。換言すれば、記録紙Ｋの搬送方向のカールを矯正しながらにして、複合機１を小型化することができる。
【００３１】
（４）排紙ローラ５１と加圧ローラ５２との間から排出された記録紙Ｋは、排紙トレイ５４に達する前に湾曲付与板５３の両規制片５３ｂのみに接触する。そのため、湾曲付与板５３を備えていない従来構成と比較して、記録紙Ｋが接触する部分の面積が格段に狭いため、記録紙Ｋと湾曲付与板５３との間に作用する摩擦力が小さくなる。従って、その摩擦力が原因となってカールが助長されることはなく、排紙トレイ５４上における記録紙Ｋの堆積状態を良好にでき、排紙トレイ５４上に多くの記録紙Ｋを堆積させることができる。また、記録紙Ｋと湾曲付与板５３との間に作用する摩擦力が小さいため、記録紙Ｋをスムーズに排出することができる。
【００３２】
尚、前記実施形態は、次のように変更して具体化することも可能である。
・記録紙Ｋの排出方向の上流側から下流側に向かう程、一対の規制片５３ｂ間の距離を短くした構成としてもよい。具体的には、図７（ａ）に示すように、記録紙Ｋの排出方向の上流側から下流側に向かう程、一対の規制片５３ｂ間の距離を直線的に短くした構成としてもよい。又は、図７（ｂ），（ｃ）に示すように、記録紙Ｋの排出方向の上流側から下流側に向かう程、一対の規制片５３ｂ間の距離を曲線的に短くした構成としてもよい。これらのように構成すれば、排紙ローラ５１と加圧ローラ５２との接線方向に排出された記録紙Ｋは、幅方向の両端部における上方への移動が一対の規制片５３ｂで規制され、上に凸の形状で幅方向に湾曲される。そして、記録紙Ｋは、排出方向の上流側から下流側に向かう程、幅方向の中央部寄りにおける上方への移動が規制される。つまり、記録紙Ｋは、排出方向の上流側から下流側に向かう程、幅方向の中央部と幅方向の両端部との高低差が大きな上に凸の形状で幅方向に湾曲される。換言すれば、記録紙Ｋは、排出方向の上流側から下流側に向かう程、幅方向が小さな曲率半径で湾曲される。従って、記録紙Ｋの搬送方向のカールを確実に矯正することができる。
【００３３】
・記録紙Ｋの排出方向の上流側から下流側に向かう程、一対の規制片５３ｂの垂下量を長くした構成としてもよい。具体的には、図８（ａ）に示すように、記録紙Ｋの排出方向の上流側から下流側に向かう程、一対の規制片５３ｂの垂下量を直線的に長くした構成としてもよい。又は、図８（ｂ），（ｃ）に示すように、記録紙Ｋの排出方向の上流側から下流側に向かう程、一対の規制片５３ｂの垂下量を曲線的に長くした構成としてもよい。これらのように構成すれば、排紙ローラ５１と加圧ローラ５２との接線方向に排出された記録紙Ｋは、幅方向の両端部における上方への移動が一対の規制片５３ｂによって規制され、上に凸の形状で幅方向に湾曲される。そして、記録紙Ｋは、排出方向の上流側から下流側に向かう程、幅方向の両端部における上方への移動が下方位置で規制される。つまり、記録紙Ｋは、排出方向の上流側から下流側に向かう程、幅方向の中央部と幅方向の両端部との高低差が大きな上に凸の形状で幅方向に湾曲される。換言すれば、記録紙Ｋは、排出方向の上流側から下流側に向かう程、幅方向が小さな曲率半径で湾曲される。従って、記録紙Ｋの搬送方向のカールを確実に矯正することができる。
【００３４】
・図９に示すように、規制片５３ｂの垂下量よりも短い規制片５３ｃを、一対の規制片５３ｂ間に記録紙Ｋの排出方向に沿って延設した構成としてもよい。このように構成すれば、記録紙Ｋが排紙ローラ５１と加圧ローラ５２との接線方向に勢いよく排出された場合であっても、記録紙Ｋの幅方向の中央部における上方への移動が規制片５３ｃで規制される。そのため、規制片５３ｃを備えていない場合（図９の２点鎖線参照）と比較して、記録紙Ｋが接触する部分の面積が狭く、記録紙Ｋと湾曲付与板５３との間に作用する摩擦力が小さくなる。従って、記録紙Ｋを幅方向に湾曲させながら、記録紙Ｋをスムーズに排出することができる。
【００３５】
・前記実施形態の複合機１は、図１（ｂ）に示すように、読取部２０と記録部４０との間の空間、つまり排紙トレイ５４上の空間が比較的狭い構成である。そのため、排紙ローラ５１と加圧ローラ５２との接線方向に排出された記録紙Ｋが接触する位置は、読取部２０の下面である。従って、両ローラ５１，５２の接線方向に排出された記録紙Ｋを、読取部２０の下面に設けた湾曲付与板５３で幅方向に湾曲させることができる。
【００３６】
このような構成とは異なり、読取部２０と記録部４０との間の空間が広い構成の複合機１の場合には、両ローラ５１，５２の接線方向に排出された記録紙Ｋは、読取部２０の下面には接触しない。換言すれば、かかる構成の場合には、両ローラ５１，５２の接線方向に排出された記録紙Ｋが接触する位置は、読取部２０と記録部４０との間の空間である。そこで、このような構成の複合機１において、両ローラ５１，５２の接線方向に排出された記録紙Ｋの幅方向の両端部が接触する位置（前記空間）に、一対の規制部材（湾曲付与手段）を吊設し、それら一対の規制部材をねじりコイルばね等の付勢手段で下方に付勢する構成としてもよい。このように構成すれば、一対の規制部材が前記実施形態における一対の規制片５３ｂと同様に機能するため、記録紙Ｋを幅方向に湾曲させることができる。尚、付勢手段による一対の規制部材の下方への付勢力を、記録紙Ｋの排出力による一対の規制部材の上方への押し上げ力よりも大きくする必要がある。
【００３７】
・読み取り後の原稿Ｇを排出する排紙装置として原稿給送部１０に前記実施形態を適用してもよい。具体的には、図２に２点鎖線で示すように、排紙ローラ１４と加圧ローラ１５との接線方向に排出された原稿Ｇが接触する位置、具体的には原稿台１１の下面に湾曲付与板５３を設けた構成としてもよい。このように構成すれば、簡単な構成で原稿Ｇのカールを矯正することができる。
【００３８】
・画像を記録紙Ｋに記録した後、その記録済みの記録紙Ｋを排出するプリンタ等の画像形成装置又は原稿Ｇの画像を読み取った後、その読み取り後の原稿Ｇを排出するスキャナ等の画像読取装置に前記実施形態を適用してもよい。
【００３９】
さらに、上記実施形態より把握される技術的思想について、以下にそれらの効果と共に記載する。
〔１〕用紙の排出方向の上流側から下流側に向かう程、一対の規制片間の距離を短くした排紙装置。このように構成すれば、両ローラの接線方向に排出された用紙は、幅方向の両端部における上方への移動が一対の規制片で規制され、上に凸の形状で幅方向に湾曲される。そして、用紙は、排出方向の上流側から下流側に向かう程、幅方向の中央部寄りにおける上方への移動が規制される。つまり、用紙は、排出方向の上流側から下流側に向かう程、幅方向の中央部と幅方向の両端部との高低差が大きな上に凸の形状で幅方向に湾曲される。従って、用紙の搬送方向のカールを確実に矯正することができる。
【００４０】
〔２〕用紙の排出方向の上流側から下流側に向かう程、一対の規制片の垂下量を長くした排紙装置。このように構成すれば、両ローラの接線方向に排出された用紙は、幅方向の両端部における上方への移動が一対の規制片によって規制され、上に凸の形状で幅方向に湾曲される。そして、用紙は、排出方向の上流側から下流側に向かう程、幅方向の両端部における上方への移動が下方位置で規制される。つまり、用紙は、排出方向の上流側から下流側に向かう程、幅方向の中央部と幅方向の両端部との高低差が大きな上に凸の形状で幅方向に湾曲される。従って、用紙の搬送方向のカールを確実に矯正することができる。
【００４１】
【発明の効果】
本発明は、以上のように構成されているため、次のような効果を奏する。
請求項１〜請求項３のいずれか１項に記載の発明によれば、簡単な構成で用紙のカールを矯正することができる。また、用紙のカールを矯正することによって、カールしたままの状態で排紙トレイ上に堆積することがない。
【図面の簡単な説明】
【図１】（ａ）本実施形態の複合機の斜視図、（ｂ）複合機の正面図。
【図２】複合機上部の正断面図。
【図３】複合機下部の側断面図。
【図４】（ａ）排紙ローラ及び加圧ローラの配置関係を示す模式平面図。
（ｂ）排紙ローラ及び加圧ローラの配置関係を示す模式側面図。
【図５】湾曲付与板の斜視図。
【図６】（ａ）搬送方向にカールされた記録紙の形状を示す側面図。
（ｂ）幅方向に湾曲された記録紙の形状を示す正面図。
【図７】（ａ）〜（ｃ）別の実施形態の湾曲付与板の底面図。
【図８】（ａ）〜（ｃ）別の実施形態の湾曲付与板の側断面図。
【図９】別の実施形態の湾曲付与板で幅方向に湾曲された記録紙の形状を示す正面図。
【符号の説明】
１０…排紙装置としての原稿給送部、１４…排紙ローラ、１５…加圧ローラ、５０…排紙装置としての記録紙排出部、５１…排紙ローラ、５２…加圧ローラ、５３ｂ…湾曲付与手段としての規制片、Ｇ…用紙としての原稿、Ｋ…用紙としての記録紙。
【図１】
0003932863.tif 000002
【図２】
0003932863.tif 000003
【図３】
0003932863.tif 000004
【図４】
0003932863.tif 000005
【図５】
0003932863.tif 000006
【図６】
0003932863.tif 000007
【図７】
0003932863.tif 000008
【図８】
0003932863.tif 000009
【図９】
0003932863.tif 000010